(57)【要約】【課題】複数の設定要求に対する処理の高速化を実現する。【解決手段】まず、外部からプロセス管理部２に対して設定の要求がある。プロセス管理部２は、設定要求をレジスタに順次登録すると共に、データイメージ差分管理部３に処理データの差分管理を依頼する。データイメージ差分管理部３は、データイメージによる差分管理を行い、差分管理結果を設定管理部４に渡す。設定管理部４は、データイメージの差分を調査し、調査状況に応じてプロセス管理部２に登録された複数の設定要求を処理データが最小になるように順番づける。画像処理部１は、設定された順番に設定処理を実行する。このように、データイメージ差分管理を行い、差分の調査状況を考慮することにより、複数の設定要求に対する必要な処理を効率的に高速に行うことができる。【選択図】図１
2008217172.tif 000002
【特許請求の範囲】
【請求項１】
ディジタル画像の処理を行う画像処理装置で用いられる画像処理制御装置であって、
複数の設定要求を管理するプロセス管理手段と、
前記設定要求に応じて処理するデータをデータイメージで差分管理する差分管理手段と、
前記複数の設定要求全体の処理データが最小になるように、前記差分管理状況に応じて前記処理の順番を設定する設定管理手段とを備えた画像処理制御装置。
【請求項２】
ディジタル画像の処理を行う画像処理装置で用いられる画像処理制御装置であって、
複数の設定要求を管理するプロセス管理手段と、
前記設定要求に応じて処理するデータを要求項目で差分管理する差分管理手段と、
前記複数の設定要求全体の処理データが最小になるように、前記差分管理状況に応じて前記処理の順番を設定する設定管理手段とを備えた画像処理制御装置。
【請求項３】
ディジタル画像の処理を行う画像処理装置で用いられる画像処理制御装置であって、
複数の設定要求を管理するプロセス管理手段と、
前記設定要求に応じて処理するデータを機能で差分管理する差分管理手段と、
前記複数の設定要求全体の処理データが最小になるように、前記差分管理状況に応じて前記処理の順番を設定する設定管理手段とを備えた画像処理制御装置。
【請求項４】
前記差分管理手段は、モードに対応するデータイメージで差分管理することを特徴とする請求項１記載の画像処理制御装置。
【請求項５】
前記差分管理手段は、モードに対応する要求項目で差分管理することを特徴とする請求項２記載の画像処理制御装置。
【請求項６】
前記差分管理手段は、モードに対応する機能で差分管理することを特徴とする請求項３記載の画像処理制御装置。
【請求項７】
前記差分管理手段は、モードに対応する機能とデータイメージで差分管理することを特徴とする請求項４又は６記載の画像処理制御装置。
【請求項８】
ディジタル画像の処理を行う画像処理装置で用いられる画像処理制御方法であって、
複数の設定要求を管理するステップと、
前記設定要求に応じて処理するデータをデータイメージで差分管理するステップと、
前記複数の設定要求全体の処理データが最小になるように、前記差分管理状況に応じて前記処理の順番を設定するステップとを有する画像処理制御方法。
【請求項９】
ディジタル画像の処理を行う画像処理装置で用いられる画像処理制御方法であって、
複数の設定要求を管理するステップと、
前記設定要求に応じて処理するデータを要求項目で差分管理するステップと、
前記複数の設定要求全体の処理データが最小になるように、前記差分管理状況に応じて前記処理の順番を設定するステップとを有する画像処理制御方法。
【請求項１０】
ディジタル画像の処理を行う画像処理装置で用いられる画像処理制御方法であって、
複数の設定要求を管理するステップと、
前記設定要求に応じて処理するデータを機能で差分管理するステップと、
前記複数の設定要求全体の処理データが最小になるように、前記差分管理状況に応じて前記処理の順番を設定するステップとを有する画像処理制御方法。
【請求項１１】
前記差分管理するステップは、モードに対応するデータイメージで差分管理することを特徴とする請求項８記載の画像処理制御方法。
【請求項１２】
前記差分管理するステップは、モードに対応する要求項目で差分管理することを特徴とする請求項９記載の画像処理制御方法。
【請求項１３】
前記差分管理するステップは、モードに対応する機能で差分管理することを特徴とする請求項１０記載の画像処理制御方法。
【請求項１４】
前記差分管理するステップは、モードに対応する機能とデータイメージで差分管理することを特徴とする請求項１１又は１３記載の画像処理制御方法。
【請求項１５】
請求項８〜１４記載の画像処理制御方法をコンピュータに実行させるプログラム。
【請求項１６】
請求項１５記載のプログラムを記載したコンピュータ読み取り可能な記録媒体。
【発明の詳細な説明】
【技術分野】
【０００１】
本発明はディジタルの複写機、スキャナ、プリンタ等の画像形成装置で利用されるプログラムデバイス等の画像処理装置を制御する画像処理制御装置、方法、プログラムおよび記録媒体に関する。
【背景技術】
【０００２】
ＤＳＰ（ディジタルシグナルプロセッサ）を利用したシステムのリソース管理については、例えば特許文献１に示されるバス管理システムのように、プロセッサを共同通信バスとして接続する技術が提案されている。
【特許文献１】特表平１０−５０５９２５号公報
【発明の開示】
【発明が解決しようとする課題】
【０００３】
しかしながら、実際のシステム構成においては、共同通信バスを形成することはコストがかかり、必要最低限の資源構成ができにくい場合がある。また、ＤＳＰのプログラムやデータ等の制御管理についてもバス制御との関連が発生し、複雑化している。ディジタル複写機等で、複数のＤＳＰを接続するシステムが商品化されつつある。しかし、ＤＳＰサのプログラムやデータ等のパフォーマンスを考慮した場合、最適な制御構造にはなっていない。また、処理データの差分管理を行い、設定項目を限定することにより、高速化を図っているが、複数の要求にまたがって高速化が図れていない。
本発明は上記に実情に鑑みなされたもので、複数の設定要求の処理の高速化を実現することを課題とする。
【課題を解決するための手段】
【０００４】
請求項１の発明による画像処理制御装置は、ディジタル画像の処理を行う画像処理装置で用いられる画像処理制御装置であって、複数の設定要求を管理するプロセス管理手段と、前記設定要求に応じて処理するデータをデータイメージで差分管理する差分管理手段と、前記複数の設定要求全体の処理データが最小になるように、前記差分管理状況に応じて前記処理の順番を設定する設定管理手段とを備えたものである。
【０００５】
請求項２の発明による画像処理制御装置は、ディジタル画像の処理を行う画像処理装で用いられる画像処理制御装置であって、複数の設定要求を管理するプロセス管理手段と、前記設定要求に応じて処理するデータを要求項目で差分管理する差分管理手段と、前記複数の設定要求全体の処理データが最小になるように、前記差分管理状況に応じて前記処理の順番を設定する設定管理手段とを備えたものである。
【０００６】
請求項３の発明による画像処理制御装置は、ディジタル画像の処理を行う画像処理装置で用いられる画像処理制御装置であって、複数の設定要求を管理するプロセス管理手段と、
前記設定要求に応じて処理するデータを機能で差分管理する差分管理手段と、前記複数の設定要求全体の処理データが最小になるように、前記差分管理状況に応じて前記処理の順番を設定する設定管理手段とを備えたものである。
【０００７】
請求項４の発明による画像処理制御装置は、請求項１において、前記差分管理手段は、モードに対応するデータイメージで差分管理することを特徴とするものである。
【０００８】
請求項５の発明による画像処理制御装置は、請求項２において、前記差分管理手段は、モードに対応する要求項目で差分管理することを特徴とするものである。
【０００９】
請求項６の発明による画像処理制御装置は、請求項３において、前記差分管理手段は、モードに対応する機能で差分管理することを特徴とするものである。
【００１０】
請求項７の発明による画像処理制御装置は、請求項４，６において、前記差分管理手段は、モードに対応する機能とデータイメージで差分管理することを特徴とするものである。
【００１１】
請求項８の発明による画像処理制御方法は、ディジタル画像の処理を行う画像処理装置で用いられる画像処理制御方法であって、複数の設定要求を管理するステップと、前記設定要求に応じて処理するデータをデータイメージで差分管理するステップと、前記複数の設定要求全体の処理データが最小になるように、前記差分管理状況に応じて前記処理の順番を設定するステップとを有するものである。
【００１２】
請求項９の発明による画像処理制御方法は、ディジタル画像の処理を行う画像処理装置で用いられる画像処理制御方法であって、複数の設定要求を管理するステップと、前記設定要求に応じて処理するデータを要求項目で差分管理するステップと、前記複数の設定要求全体の処理データが最小になるように、前記差分管理状況に応じて前記処理の順番を設定するステップとを有するものである。
【００１３】
請求項１０の発明による画像処理制御方法は、ディジタル画像の処理を行う画像処理装置で用いられる画像処理制御方法であって、複数の設定要求を管理するステップと、前記設定要求に応じて処理するデータを機能で差分管理するステップと、前記複数の設定要求全体の処理データが最小になるように、前記差分管理状況に応じて前記処理の順番を設定するステップとを有するものである。
【００１４】
請求項１１の発明による画像処理制御方法は、請求項８において、前記差分管理するステップは、モードに対応するデータイメージで差分管理することを特徴とするものである。
【００１５】
請求項１２の発明による画像処理制御方法は、請求項９において、前記差分管理するステップは、モードに対応する要求項目で差分管理することを特徴とするものである。
【００１６】
請求項１３の発明による画像処理制御方法は、請求項１０において、前記差分管理するステップは、モードに対応する機能で差分管理することを特徴とするものである。
【００１７】
請求項１４の発明による画像処理制御方法は、請求項１１，１３において、前記差分管理するステップは、モードに対応する機能とデータイメージで差分管理することを特徴とするものである。
【００１８】
本発明によるプログラムは、請求項８〜１４記載の画像処理制御方法をコンピュータに実行させるものである。
【００１９】
本発明によるコンピュータ読み取り可能な記録媒体は、請求項１５記載のプログラムを記載したものである。
【発明の効果】
【００２０】
請求項１，８の発明によれば、処理データをデータイメージにより差分管理し、差分の調査状況を考慮して要求の順番づけを行うことにより、効果的な高速化を実現することができる。特に、データイメージ差分を用いることにより、転送データそのものに着目した高速化をすることができる。
【００２１】
請求項２，９の発明によれば、処理データを要求項目により差分管理し、差分の調査状況を考慮して要求の順番づけを行うことにより、効果的な高速化を実現することができる。特に、要求項目差分を用いることにより、差分管理を高速化することができ、画像の連続動作の場合に効果的である。
【００２２】
請求項３，１０の発明によれば、処理データを機能により差分管理し、差分の調査状況を考慮して要求の順番づけを行うことにより、効果的な高速化を実現することができる。
特に、機能差分を用いることにより、機能ごとにハードデバイスが点在する場合に、必要なデバイスの設定として効果的である。
【００２３】
請求項４，１１の発明によれば、処理データをモードに対するデータイメージにより差分管理し、差分の調査状況を考慮して要求の順番づけを行うことにより、効果的な高速化を実現することができる。特に、データイメージ差分を用いることにより、転送データそのものに着目した高速化をすることができる。さらに、モードに対応して差分管理を行うので、モードが変化していない箇所のデータイメージの差分を管理する必要がなくなり、差分管理の高速化を図ることができる。
【００２４】
請求項５，１２の発明によれば、処理データをモードに対する要求項目により差分管理し、差分の調査状況を考慮して要求の順番づけを行うことにより、効果的な高速化を実現することができる。特に、要求項目差分を用いることにより、差分管理を高速化することができ、画像の連続動作の場合に効果的である。さらに、モードに対応して差分管理を行うので、モードが変化していない箇所のデータイメージの差分を管理する必要がなくなり、差分管理の高速化を図ることができる。
【００２５】
請求項６，１３の発明によれば、処理データをモードに対する機能により差分管理し、差分の調査状況を考慮要求の順番づけを行うことにより、効果的な高速化を実現することができる。特に、機能差分を用いることにより、機能ごとにハードデバイスが点在する場合に、必要なデバイスの設定として効果的である。さらに、モードに対応して、差分管理を行うので、モードが変化していない箇所のデータイメージの差分を管理する必要がなくなり、差分管理の高速化を図ることができる。
【００２６】
請求項７，１４の発明によれば、処理データをモードに対する機能とデータイメージの差分にて差分管理し、差分の調査状況を考慮して要求の順番づけを行うことにより、効果的な高速化を実現することができる。特に、モードに対応して機能とデータイメージの差分管理を行うので、モードが変化していない箇所の機能とデータイメージ分の差分を管理する必要がなくなり、差分管理の高速化を図ることができる。
【発明を実施するための最良の形態】
【００２７】
以下、本発明の第１〜７の実施の形態を図面と共に説明する。各実施の形態は、いずれもディジタル画像をＤＳＰ等のハードウエアデバイスを用いて画像処理を行う画像処理装置において、同時に複数の設定要求がなされた場合に、それらの設定要求の完了がより高速に行われるように、処理の順番を設定して設定要求全体のデータ量を最小にすることにより、最適な設定を管理するようにしたものである。
【００２８】
第１の実施の形態を説明する。
上記のように処理の順番を設定するために、本実施の形態では、設定要求に応じて設定する処理データをデータイメージにより差分管理を行うことで、必要最低限の設定を行うようにしたものである。
【００２９】
図１は本実施の形態による画像処理制御装置を示すブロック図である。
図１において、１はハードウエアデバイスである画像処理部、２は複数の設定要求を管理するプロセス管理部、３は設定要求に基づいて設定する処理データをデータイメージで差分管理するデータイメージ差分管理部、４は設定処理データが最小になるようにプロセス処理順番を管理する設定管理部である。
【００３０】
次に動作について説明する。
まず、外部からプロセス管理部２に対して設定の要求がある。プロセス管理部２は、設定要求をレジスタに順次登録すると共に、データイメージ差分管理部３に処理データの差分管理を依頼する。データイメージ差分管理部３は、データイメージによる差分管理を行い、差分管理結果を設定管理部４に渡す。設定管理部４は、データイメージの差分を調査し、調査状況に応じてプロセス管理部２に登録された複数の設定要求を処理データが最小になるように順番づける。画像処理部１は、設定された順番に設定処理を実行する。
【００３１】
本実施の形態によれば、上記のように１つのハードウエアデバイスに対してプロセス管理とデータイメージ差分管理を行い、差分の調査状況を考慮することにより、複数の設定要求に対する必要な処理を効率的に高速に行うことができる。
【００３２】
図２は本実施の形態による差分管理の概念と、それに基づく設定要求の順序付けの様子を示す。
図２は３つの設定要求１，２，３があったものとし、それぞれ２３個、１８個、５０個のレジスタで差分が発生した場合を示す。ここで考えられる設定順序は図示のように設定順序１，２，３つである。設定順序１では、処理すべきレジスタ数の合計は１３２個、設定順序２では、１１８個、設定順序３では、８６個となる。従って、レジスタ数が最小となるのは設定順序２である。このように、データイメージにより差分管理し、その差分の発生箇所と量に応じて効果的な設定を行うことにより、複数の要求全体で高速化を図ることができる。
【００３３】
第２の実施の形態を説明する。
本実施の形態は、設定する処理データを差分管理するが、要求項目差分に基づく差分管理を行うことにより、必要最低限の設定を行うことができる画像処理制御装置である。
【００３４】
図３は本実施の形態による画像処理制御装置を示すブロック図であり、図１と対応する部分には同一番号を付して重複する説明は省略する。
図３において、５は要求項目の差分管理を行う要求項目差分管理部である。
【００３５】
次に動作について説明する。
まず、外部からプロセス管理部２に対して設定の要求がある。プロセス管理部２は、設定要求をレジスタに順次登録すると共に、要求項目差分管理部５に処理データの差分管理を依頼する。要求項目差分管理部５は、要求項目に基づいて差分管理を行い、差分管理結果を設定管理部４に渡す。設定管理部４は、要求項目について差分を調査し、調査状況に応じてプロセス管理部２に登録された複数の設定要求を処理データが最小になるように順番づける。画像処理部１は、設定された順番に設定処理を実行する。
【００３６】
本実施の形態によれば、差分管理を要求項目について行い、差分の調査状況を考慮することにより、複数の設定要求に対する必要な処理を効率的に高速に行うことができる。
【００３７】
図４は本実施の形態による差分管理の概念と、それに基づく設定要求の順序付けの様子を示す。
図４は画像の品質に関することを要求項目とする３つの設定要求１，２，３があった場合を示し、ここでは設定要求１について差分が発生したレジスタ群をデータイメージとして示す。ここで考えられる設定順序は図示のように設定順序１，２，３つである。設定順序１では、処理すべきレジスタ数の合計は７個、設定順序２では、６個、設定順序３では、３個となる。従って、レジスタ数が最小となるのは設定順序３である。このように、要求項目により差分管理し、その差分の発生箇所と量に応じて効果的な設定を行うことにより、複数の要求全体で高速化を図ることができる。
【００３８】
第３の実施の形態を説明する。
本実施の形態は、設定する処理データを差分管理するが、機能に基づく差分管理を行うことにより、必要最低限の設定を行うことができる画像処理制御装置である。
【００３９】
図５は本実施の形態による画像処理制御装置を示すブロック図であり、図１と対応する部分には同一番号を付して重複する説明は省略する。
図５において、６は機能差分の差分管理を行う要求項目差分管理部である。
【００４０】
次に動作について説明する。
外部からプロセス管理部２に対して設定の要求があると、プロセス管理部２は、設定要求をレジスタに順次登録すると共に、機能差分管理部５に処理データの差分管理を依頼する。機能差分管理部５は、機能差分の差分管理を行い、差分管理結果を設定管理部４に渡す。設定管理部４は、機能差分を調査し、調査状況に応じてプロセス管理部２に登録された複数の設定要求を処理データが最小になるように順番づける。画像処理部１は、設定された順番に設定処理を実行する。
【００４１】
本実施の形態によれば、差分管理を機能差分について行い、差分の調査状況を考慮することにより、複数の設定要求に対する必要な処理を効率的に高速に行うことができる。
【００４２】
図６は本実施の形態による差分管理の概念と、それに基づく設定要求の順序付けの様子を示す。
図６はフィルタ処理、色補正処理、変倍処理等の機能に関する３つの設定要求１，２，３があった場合を示し、ここでは設定要求１について差分が発生したレジスタ群をデータイメージとして示す。考えられる設定順序は設定順序１，２、３つであり、それぞれ処理すべきレジスタ数の合計は８個、６個、５個である。従って、レジスタ数が最小となるのは設定順序３である。このように、機能差分を管理し、その差分の発生箇所と量に応じて効果的な設定を行うことにより、複数の要求全体で高速化を図ることができる。
【００４３】
第４の実施の形態を説明する。
本実施の形態は、設定する処理データをモードに対応するデータイメージにより差分管理することにより、必要最低限の設定を行うことができる画像処理制御装置である。
【００４４】
図７は本実施の形態による画像処理制御装置を示すブロック図であり、図１と対応する部分には同一番号を付して重複する説明は省略する。
図７において、７は処理データをモードに対応するデータイメージにより差分管理するモード対応データイメージ差分管理部である。
【００４５】
次に動作について説明する。
プロセス管理部２は、設定の要求があると、設定要求をレジスタに順次登録すると共に、モード対応データイメージ差分管理部７に処理データの差分管理を依頼する。モード対応データイメージ差分管理部７は、モードに対応するデータイメージにより差分管理を行い、差分管理結果を設定管理部４に渡す。設定管理部４は、差分結果を調査し、調査状況に応じてプロセス管理部２に登録された複数の設定要求を処理データが最小になるように順番付ける。画像処理部１は、設定された順番に設定処理を実行する。
【００４６】
本実施の形態によれば、差分管理をモードに対応するデータイメージにより行い、差分の調査状況を考慮することにより、複数の設定要求に対する必要な処理を効率的に高速に行うことができる。
【００４７】
図８は本実施の形態による差分管理の概念と、それに基づく設定要求の順序付けの様子を示す。
図８は文字モード、写真モード、文字／写真モードに関する３つの設定要求１，２，３があった場合を示し、ここでは設定要求１について差分が発生したレジスタ群をデータイメージとして示す。考えられる設定順序１，２，３において、処理すべきレジスタ数の合計は、設定順序１では、３個、設定順序２では、３個、設定順序３では、２個である。従って、レジスタ数が最小となるのは設定順序３である。このように、モードに対応するデータイメージにより差分管理し、その差分の発生箇所と量に応じて効果的な設定を行うことにより、複数の要求全体で高速化を図ることができる。
【００４８】
第５の実施の形態を説明する。
本実施の形態は、設定する処理データをモードに対応する機能差分により差分管理することにより、必要最低限の設定を行うことができる画像処理制御装置である。
【００４９】
図９は本実施の形態による画像処理制御装置を示すブロック図であり、図１と対応する部分には同一番号を付して重複する説明は省略する。
図９において、８は処理データをモードに対応する要求項目により差分管理するモード対応要求項目差分管理部である。
【００５０】
次に動作について説明する。
プロセス管理部２は、設定の要求があると、設定要求をレジスタに順次登録すると共に、モード対応要求項目差分管理部８に処理データの差分管理を依頼する。モード対応要求項目差分管理部８は、モードに対応する要求項目により差分管理を行い、差分管理結果を設定管理部４に渡す。設定管理部４は、差分結果を調査し、調査状況に応じてプロセス管理部２に登録された複数の設定要求を処理データが最小になるように順番づける。画像処理部１は、設定された順番に設定処理を実行する。
【００５１】
本実施の形態によれば、差分管理をモードに対応する要求項目により行い、差分の調査状況を考慮することにより、複数の設定要求に対する必要な処理を効率的に高速に行うことができる。
【００５２】
図１０は本実施の形態による差分管理の概念と、それに基づく設定要求の順序づけの様子を示す。
図１０は各モードに関する３つの設定要求１，２，３があった場合を示し、ここでは設定要求１について差分が発生したレジスタ群をデータイメージとして示す。考えられる設定順序１，２、３において、処理すべきレジスタ数の合計は、設定順序１では、３個、設定順序２では、３個、設定順序３では、２個である。従って、レジスタ数が最小となるのは設定順序３である。このように、モードに対応する要求項目により差分管理し、その差分の発生箇所と量に応じて効果的な設定を行うことにより、複数の要求全体で高速化を図ることができる。
【００５３】
第６の実施の形態を説明する。
本実施の形態は、設定する処理データをモードに対応する要求項目により差分管理することにより、必要最低限の設定を行うことができる画像処理制御装置である。
【００５４】
図１１は本実施の形態による画像処理制御装置を示すブロック図であり、図１と対応する部分には同一番号を付して重複する説明は省略する。
図１１において、９は処理データをモードに対応する機能差分により差分管理するモード対機能差分管理部である。
【００５５】
次に動作について説明する。
プロセス管理部２は、外部からの設定の要求をレジスタに順次登録すると共に、モード対応機能差分管理部９に処理データの差分管理を依頼する。モード対応機能差分管理部９は、モードに対応する機能差分により差分管理を行い、差分管理結果を設定管理部４に渡す。設定管理部４は、差分結果を調査し、調査状況に応じてプロセス管理部２に登録された複数の設定要求を処理データが最小になるように順番づける。画像処理部１は、設定された順番に設定処理を実行する。
【００５６】
本実施の形態によれば、差分管理をモードに対応する機能差分により行い、差分の調査状況を考慮することにより、複数の設定要求に対する必要な処理を効率的に高速に行うことができる。
【００５７】
図１２は本実施の形態による差分管理の概念と、それに基づく設定要求の順序づけの様子を示す。
図１２は各モードに対応する画像品質に関する３つの設定要求１，２，３があった場合を示し、ここでは設定要求１について差分が発生したレジスタ群をデータイメージとして示す。考えられる設定順序１，２、３において、処理すべきレジスタ数の合計は、設定順序１では、３個、設定順序２では、３個、設定順序３では、２個である。従って、レジスタ数が最小となるのは設定順序３である。このように、モードに対応する機能差分により差分管理し、その差分の発生箇所と量に応じて効果的な設定を行うことにより、複数の要求全体で高速化を図ることができる。
【００５８】
第７の実施の形態を説明する。
本実施の形態は、設定する処理データをモードに対応する機能差分とデータイメージ差分の差分により差分管理することにより、必要最低限の設定を行うことができる画像処理制御装置である。
【００５９】
図１３は本実施の形態による画像処理制御装置を示すブロック図であり、図１と対応する部分には同一番号を付して重複する説明は省略する。
図１３において、１０は処理データをモードに対応する機能差分とデータイメージにより差分管理するモード対機能・データイメージ差分管理部である。
【００６０】
次に動作について説明する。
プロセス管理部２は、外部からの設定の要求をレジスタに順次登録すると共に、モード対応機能・データイメージ差分管理部１０に処理データの差分管理を依頼する。モード対応機能・データイメージ差分管理部９は、モードに対応する機能差分とデータイメージにより差分管理を行い、差分管理結果を設定管理部４に渡す。設定管理部４は、差分結果を調査し、調査状況に応じてプロセス管理部２に登録された複数の設定要求を処理データが最小になるように順番づける。画像処理部１は、設定された順番に設定処理を実行する。
【００６１】
本実施の形態によれば、差分管理をモードに対応する機能差分とデータイメージにより行い、差分の調査状況を考慮することにより、複数の設定要求に対する必要な処理を効率的に高速に行うことができる。
【００６２】
図１２は本実施の形態による差分管理の概念と、それに基づく設定要求の順序付けの様子を示す。
図１２は各モードに対応するフィルタ処理等に関する３つの設定要求１，２，３があった場合を示し、ここでは設定要求１について差分が発生したレジスタ群をデータイメージとして示す。考えられる設定順序１，２、３において、処理すべきレジスタ数の合計は、設定順序１では、３個、設定順序２では、３個、設定順序３では、２個である。従って、レジスタ数が最小となるのは設定順序３である。このように、モードに対応する機能差分とデータイメージにより差分管理し、その差分の発生箇所と量に応じて効果的な設定を行うことにより、複数の要求全体で高速化を図ることができる。
【００６３】
次に、本発明によるプログラムおよび記録媒体について説明する。
上述した各実施形態の画像処理装置を構成する各機能をプログラム化し、予めＲＯＭなどの記録媒体に書き込んでおき、このＲＯＭを画像処理装置に搭載して、画像処理装置に搭載したマイクロプロセッサでＲＯＭ内のプログラムを実行することによって、本発明の目的を達成することができる。なお、記録媒体としては半導体媒体（例えば、ＲＯＭ、不揮発性メモリカード等）、光媒体（例えば、ＤＶＤ、ＭＯ、ＭＤ、ＣＤ−Ｒ等）、磁気媒体（例えば、磁気テープ、フレキシブルディスク等）のいずれであってもよい。また、ロードしたプログラムの指示に基づき、オペレーティングシステム等が実際の処理の一部又は全部を行い、その処理によって前述した各実施の形態の機能が実現される場合も含まれる。さらに、前記プログラムをサーバコンピュータのＨＤＤ等の記憶装置に格納しておき、ネットワークで接続された利用者のコンピュータからダウンロードして頒布する場合、また、サーバコンピュータから配信して頒布する場合、このサーバコンピュータの記憶装置も本発明による記録媒体に含まれる。このように、本発明の機能をプログラムして、記録媒体に記録し頒布することによって、コスト、可搬性、汎用性を向上させることができる。
【図面の簡単な説明】
【００６４】
【図１】本発明の第１の実施の形態による画像処理制御装置を示すブロック図である。
【図２】第１の実施の形態による差分管理の概念と、それに基づく設定要求の順序付けの様子を示す。
【図３】本発明の第２の実施の形態による画像処理制御装置を示すブロック図である。
【図４】第２の実施の形態による差分管理の概念と、それに基づく設定要求の順序付けの様子を示す。
【図５】本発明の第３の実施の形態による画像処理制御装置を示すブロック図である。
【図６】第３の実施の形態による差分管理の概念と、それに基づく設定要求の順序付けの様子を示す。
【図７】本発明の第４の実施の形態による画像処理制御装置を示すブロック図である。
【図８】第４の実施の形態による差分管理の概念と、それに基づく設定要求の順序付けの様子を示す。
【図９】本発明の第５の実施の形態による画像処理制御装置を示すブロック図である。
【図１０】第５の実施の形態による差分管理の概念と、それに基づく設定要求の順序付けの様子を示す。
【図１１】本発明の第６の実施の形態による画像処理制御装置を示すブロック図である。
【図１２】第６の実施の形態による差分管理の概念と、それに基づく設定要求の順序付けの様子を示す。
【図１３】本発明の第７の実施の形態による画像処理制御装置を示すブロック図である。
【図１４】第７の実施の形態による差分管理の概念と、それに基づく設定要求の順序づけの様子を示す。
【符号の説明】
【００６５】
１    画像処理部
２    プロセス管理部
３    データイメージ差分管理部
４    設定管理部
５    要求項目差分管理部
６    機能差分管理部
７    モード対応データイメージ差分管理部
８    モード対応要求項目差分管理部
９    モード対応機能差分管理部
１０    モード対応機能・データイメージ差分管理部
【図１】
2008217172.tif 000003
【図２】
2008217172.tif 000004
【図３】
2008217172.tif 000005
【図４】
2008217172.tif 000006
【図５】
2008217172.tif 000007
【図６】
2008217172.tif 000008
【図７】
2008217172.tif 000009
【図８】
2008217172.tif 000010
【図９】
2008217172.tif 000011
【図１０】
2008217172.tif 000012
【図１１】
2008217172.tif 000013
【図１２】
2008217172.tif 000014
【図１３】
2008217172.tif 000015
【図１４】
2008217172.tif 000016